(57)【要約】【課題】　ユーザ（３００、３５０）により入力されるパラメータを受信し、複数のアクセス可能な亀裂挙動モデルを使用することによって受信されたパラメータに基づいて亀裂挙動推定を計算する方法を提供する。【解決手段】　各モデルから計算された亀裂挙動推定は、種々のモデルが所望の亀裂挙動プロフィールを計算する際にどのように比較されるのかを示すためにユーザ（３００、３５０）に対して表示される。表示される亀裂挙動推定は、予測亀裂進展速度データのみならず、双方の履歴亀裂進展速度データを編集したものを利用しており、推定亀裂進展速度対時間（８７０）又は経時の推定亀裂進展（９７０）として表示されても良い。これらのパラメータは、ユーザ（３００、３５０）が各亀裂進展モデルを比較できるようにするために、亀裂挙動モデルごとにグラフィカルに表示される。【選択図】　図３
2004037466.tif 000002
【特許請求の範囲】
【請求項１】
原子炉に対して亀裂挙動推定を実行する方法において、
　ユーザにより入力されるパラメータを受信することと、
　複数のアクセス可能な亀裂挙動モデルを使用して前記受信されたパラメータに基づいて亀裂挙動推定を計算することと、
　ユーザ（３００、３５０）による評価のために前記モデルの各々から計算された亀裂挙動推定を表示することとから成る方法。
【請求項２】
前記パラメータ受信過程は、原子炉ＩＤ、現在の亀裂寸法、亀裂測定日、最大亀裂寸法、及びユーザが見る日付範囲を受信することを更に含む請求項１記載の方法。
【請求項３】
前記受信されたパラメータに基づいてユーザの原子炉を判定することを更に含む請求項２記載の方法。
【請求項４】
前記計算過程は、
（ａ）経時の亀裂進展速度を計算すること、あるいは、
（ｂ）亀裂進展速度及び経時の亀裂進展を計算することを更に含み、
前記過程（ａ）又は前記過程（ｂ）はユーザ選択に基づいて実行される請求項１記載の方法。
【請求項５】
前記表示過程は、
ユーザが前記過程（ａ）を選択するとき、
モデルごとの亀裂進展速度対時間のプロットを表示することと、
モデルごとの平均亀裂進展速度を表示することとを更に含む請求項４記載の方法。
【請求項６】
前記モデルごとの亀裂進展速度対時間のプロットは、ユーザに対して単一の表示画面で表示される請求項５記載の方法。
【請求項７】
前記表示過程は、
ユーザが前記過程（ｂ）を選択するとき、
モデルごとの亀裂進展速度対時間のプロットを表示することと、
モデルごとの亀裂進展対時間のプロットを表示することとを更に含む請求項４記載の方法。
【請求項８】
前記モデルごとの亀裂進展速度対時間のプロットは、ユーザに対して単一の表示画面で表示され、
　前記モデルごとの亀裂進展対時間のプロットはユーザに対して別の単一の表示画面で表示される請求項７記載の方法。
【請求項９】
前記計算過程は、前記複数のモデル、ユーザにより入力される時間フレーム、及びアクセス可能な核水質データベースのデータの各々に基づいて毎日の亀裂進展速度を計算することを更に含む請求項２記載の方法。
【請求項１０】
前記計算過程は、前記計算された毎日の亀裂進展速度に基づいて平均亀裂進展速度を計算することを更に含む請求項９記載の方法。
【請求項１１】
前記計算過程は、前記複数のモデル、ユーザにより入力された亀裂測定日、及びアクセス可能な核水質データベースのデータの各々に基づいて毎日の亀裂進展速度を計算することを更に含む請求項２記載の方法。
【請求項１２】
前記計算過程は、前記計算された毎日の亀裂進展速度に基づいて平均亀裂進展速度を計算することを更に含む請求項１１記載の方法。
【請求項１３】
前記計算過程は、前記計算された毎日の亀裂進展速度及び前記計算された平均亀裂進展速度に基づいて経時の推定亀裂進展を計算することを更に含む請求項１２記載の方法。
【請求項１４】
クライアントがクライアントサーバネットワークを介して原子炉に対する亀裂挙動推定を取得する方法において、
　原子炉プラントパラメータをサーバに入力することと、
　前記入力された原子炉プラントパラメータに基づいて、前記サーバから複数の表示された亀裂挙動推定を受信することとから成り、
　前記亀裂挙動推定は、前記サーバによりアクセス可能な複数の亀裂挙動モデルを使用して計算される方法。
【請求項１５】
前記入力過程は、クライアントが原子炉ＩＤ、現在の亀裂寸法、亀裂測定日、最大亀裂寸法、及び見るべき日付範囲を前記サーバに入力することを更に含む請求項１４記載の方法。
【請求項１６】
前記クライアントは、表示すべき所望の亀裂挙動推定を更に選択する請求項１４記載の方法。
【請求項１７】
前記受信過程は、前記クライアントが前記サーバからモデルごとの亀裂進展速度対時間のプロットを受信することを更に含む請求項１６記載の方法。
【請求項１８】
前記受信過程は、前記クライアントが前記サーバからモデルごとの亀裂進展速度対時間のプロットを受信することと、
　前記クライアントが前記サーバからモデルごとの亀裂進展対時間のプロットを受信することとを更に含む請求項１６記載の方法。
【請求項１９】
前記受信過程は、前記クライアントが亀裂が最大寸法に到達する推定日を前記サーバから受信することを更に含み、前記推定日は、前記サーバによりアクセス可能な前記複数のモデルの各々により計算される請求項１６記載の方法。
【請求項２０】
プロセッサ（２００）が原子炉に対する亀裂挙動推定を判定できるようにするコンピュータプログラム論理を格納するコンピュータ可読な媒体を具備するコンピュータプログラム製品において、前記コンピュータプログラム論理が、
　中央ネクサスにおいて亀裂挙動推定に対する計算をホストとして処理する過程と、
　前記ネクサスにおいて原子炉パラメータを受理する過程と、
　複数のアクセス可能な亀裂挙動モデルを使用して前記受理されたパラメータに基づいて前記ネクサスにおいて前記パラメータを処理する過程と、
　前記モデルの各々から亀裂挙動推定を出力する過程とを前記プロセッサ（２００）に実行させるコンピュータプログラム製品。
【請求項２１】
前記ネクサスは、少なくとも１人の要求ユーザ（３００、３５０）により電子的にアクセス可能である請求項２０記載のコンピュータプログラム製品。
【請求項２２】
前記コンピュータプログラム論理により、前記プロセッサ（２００）は、
　グラフィカルユーザインタフェース（２３０）を介してモデルごとの亀裂進展速度対時間（８７０）のプロットを出力し、
　前記グラフィカルユーザインタフェース（２３０）を介してモデルごとの平均亀裂進展速度（８６２、８６４、８６６、８６８）を出力することが可能になる請求項２０記載のコンピュータプログラム製品。
【請求項２３】
前記コンピュータプログラム論理により、前記プロセッサ（２００）は、
グラフィカルユーザインタフェース（２３０）を介してモデルごとの亀裂進展速度対時間（８７０）のプロットを出力し、
　前記グラフィカルユーザインタフェース（２３０）を介してモデルごとの亀裂進展対時間（９７０）を出力することが可能になる請求項２０記載のコンピュータプログラム製品。
【請求項２４】
要求クライアント（３００、３５０）の原子炉に対する亀裂挙動推定を判定するためのＷＷＷベースのネットワークにおけるアプリケーションサーバ（２００）において、
　前記クライアント（３００、３５０）により入力される原子炉パラメータを受信する手段（２２５、２７５、３７５、２３０、２０５）と、
　前記受信された原子炉パラメータに基づいて亀裂挙動推定を計算する手段（２１０、２５０）と、
　前記計算された亀裂挙動推定を前記要求クライアント（３００、３５０）に対して表示する手段（２３０、２７５、３７５）とを具備するアプリケーションサーバ（２００）。
【請求項２５】
前記表示手段（２３０、２７５、３７５）は、グラフィカルユーザインタフェース（２３０）を含む請求項２４記載のアプリケーションサーバ（２００）。
【請求項２６】
前記計算手段（２１０、２５０）は、前記アプリケーションサーバ（２００）に有効に接続される核水質データベース（２２０、２５０）からアクセス可能な複数の亀裂挙動モデルを含む請求項２４記載のアプリケーションサーバ（２００）。
【請求項２７】
前記受信手段（２２５、２７５、３７５、２３０、２０５）は、インターネットブラウザを介して前記要求クライアント（３００、３５０）により入力されるデータを受信するシステムバス（２０５）を含む請求項２４記載のアプリケーションサーバ（２００）。
【請求項２８】
前記亀裂挙動推定は、モデルごとに計算されるクライアント（３００、３５０）の原子炉に対する推定亀裂進展速度（８７０）を含む請求項２６記載のアプリケーションサーバ（２００）。
【請求項２９】
前記亀裂挙動推定は、モデルごとに計算されるクライアント（３００、３５０）の原子炉に対する推定亀裂進展（９７０）を含む請求項２６記載のアプリケーションサーバ（２００）。
【請求項３０】
前記亀裂挙動推定は、全モデルに対する平均亀裂進展速度（８６２、８６４、８６６、８６８）を含む請求項２６記載のアプリケーションサーバ（２００）。
【請求項３１】
前記亀裂挙動推定は、クライアント（３００、３５０）の原子炉における亀裂が各モデルに基づく最大値に到達する推定日（９６２、９６４、９６６、９６８）を含む請求項２６記載のアプリケーションサーバ（２００）。
【発明の詳細な説明】
【技術分野】
【０００１】
　本発明は、一般的に、原子力発電所に関し、特に、ユーザがその原子炉に対して推定亀裂挙動計算を実行できるようにする方法及び装置に関する。
【背景技術】
【０００２】
　既存の基本的な亀裂進展挙動モデルを利用して亀裂進展挙動を予測する際に、沸騰水型原子炉などの原子炉における水質特性を使用しても良い。このモデルは、履歴データ及び履歴挙動の詳細な工学分析から得られたものであるので、亀裂進展挙動推定を水質特性及び材料特性を使用して正確に行なうことができる。しかし、現在の評価では、あらゆる亀裂進展査定は、様々な人員が通常は手作業でユーザ要求に応じて行なう必要がある。更に、専門家による完全な亀裂進展分析は費用がかかると共に時間も必要である。
【０００３】
　最近、亀裂挙動予測のための自動化された方法が開発されている。本発明の譲受人に譲渡されたHorn等の米国特許出願第２００１−００５３９６５号、名称「Method And Apparatus For Automated Crack Behavior Prediction Determination」（特許文献１）では、原子炉における構成部品亀裂挙動を予測する自動化された方法が開示されている。この方法では、水質特性がコンピュータネットワークを介して入力され、入力された水質特性に従って構成部品亀裂挙動を予測するために、亀裂進展挙動モデルがアクセスされる。亀裂進展予測プロフィール、すなわち、分析に従った亀裂進展による結果が、コンピュータネットワークを介してユーザに対して出力される。
【０００４】
　特許文献１では、ユーザはインターネット上のシステムサーバなどに接続する。ユーザは、例えば、周波数、応力度、亀裂先端ひずみ速度、水質、及び導電性、腐食電位、酸素濃度などの環境パラメータをサーバに入力する。全ての入力が終了すると、サーバはユーザが入力した特性に従って構成部品亀裂挙動を予測する亀裂挙動モデルをアクセスする。サーバは、適切なグラフィカルユーザインタフェースを介して、亀裂進展予測プロフィールを出力する。このプロフィールは、リアルタイムの亀裂進展予測を表すであろう。これは、履歴データを背景として現在の原子炉プラントデータを使用して今後の挙動を予測するという意味において「リアルタイム」の評価であり、随時更新して新規のプラントデータを含むことが可能なプロセスである。出力は、例えば、図表において亀裂進展速度をグラフィカルに表現したものである。
【特許文献１】米国特許出願第２００１−００５３９６５号
【発明の開示】
【発明が解決しようとする課題】
【０００５】
　このように、完全な亀裂進展分析は費用がかかると共に時間を要する。上述の自動化されたシステムにおいても、ユーザは単一の亀裂挙動モデルから亀裂進展予測プロフィールを受信するために相当な数のパラメータを入力しなければならない。更に、原子炉の監視人員は、完全な分析が必要か否かを判定するために、特定の亀裂の表面的なスコーピング分析を非常に迅速に実行するメカニズムを必要とする。従って、潜在的なユーザは、比較的短時間で、都合の良いときに、ユーザにとって最小限の費用・時間で原子炉における現在の全ての亀裂を迅速にアクセスし、評価することができる方法を必要としている。
【課題を解決するための手段】
【０００６】
　例示の実施例において、亀裂挙動推定を実行する方法は、ユーザにより入力されるパラメータを受信し、複数のアクセス可能な亀裂挙動モデルを使用することによって受信されたパラメータに基づいて亀裂挙動推定を計算することを含む。亀裂挙動推定は、種々のモデルが所望の亀裂挙動プロフィールを計算する際にどのように比較されるのかを示すためにユーザに対して表示される。表示される亀裂挙動推定は、予測亀裂進展速度データのみならず、双方の履歴亀裂進展速度データを編集したものを利用しており、推定亀裂進展速度対時間又は経時の推定亀裂進展として表示されても良い。これらのパラメータは、ユーザが各亀裂進展モデルを比較して亀裂に完全な亀裂進展分析が必要であるか否かを判定できるようにするために、プロット上などで亀裂挙動モデルごとにグラフィカルに表示される。
【発明を実施するための最良の形態】
【０００７】
　本発明は、以下の詳細な説明及び添付の図面から十分に理解されるであろう。これらの説明及び図面は例証のためのものであり、本発明を制限するものではない。
【０００８】
　本発明は、ユーザが亀裂進展速度及び亀裂進展などの亀裂挙動についてスコーピング調査を実行できるようにする。特定のプラントからの入力に基づいて、ユーザはシステムにアクセスし、亀裂進展速度又は亀裂進展に対するnuclear regulatory commission（ＮＲＣ）採択値と比較しながら種々のモデルから計算される履歴の亀裂進展速度を見ても良い。亀裂進展速度及び亀裂進展は、業界標準モデル又はＢＷＲＶＩＰ亀裂挙動モデル、すなわち、ＧＥＰ−ｌｉｔｅ亀裂挙動モデル及びＨＷＣ（水素注入水質）を有するＧＥＰ−ｌｉｔｅを含む幾つかの簡略化されたＢＷＲＶＩＰ亀裂挙動モデルを使用して計算される。ＧＥＰ−ｌｉｔｅ及びＨＷＣを有するＧＥＰ−ｌｉｔｅは、特許文献１に記載されているモデルの派生的なモデルである。これらのモデルの結果は、主にスコーピング目的で使用される。スコーピング分析は、初期の表面的な分析であり、ユーザは完全な亀裂プロフィール分析が必要であるか否かを迅速に判定することができる。
【０００９】
　一実施例において、ユーザは、ウェブベースのインターネットブラウザなどの適切なインタフェースを介してウェブサイトを実行中のアプリケーションサーバなどの中央ネクサスにアクセスする。ユーザは、その原子炉のパラメータをサーバに入力し、サーバのグラフィックユーザインタフェース（ＧＵＩ）から、あるいは、それを介して入力された原子炉パラメータからサーバにより計算された複数の表示された亀裂挙動推定を受信する。亀裂挙動推定はサーバにおいて計算される。サーバは、前述の亀裂挙動モデルのアルゴリズムを実行し、ユーザによる比較のために、ＮＲＣ採択値と共に計算された亀裂進展速度及び亀裂進展結果を表示する。多様な結果により、ユーザは、更に完全な亀裂プロフィール分析が必要か否かを効率的に判定することができる。
【００１０】
更に別の実施例では、コンピュータプログラム製品は、プロセッサに中央ネクサスにおいて亀裂挙動推定のための計算をホストとして処理するように指示するコンピュータプログラム論理を含む。コンピュータプログラム論理により、コンピュータ製品中のプロセッサは、ネクサスにおいて原子炉プラントパラメータを受け取り、複数のアクセス可能な亀裂挙動モデルを参照し、水質データベースにアクセスすることによって、ネクサスでパラメータを処理するようになる。結果（亀裂進展速度のプロット及び亀裂進展対時間のプロットなどの亀裂挙動推定であろう）は、ユーザによる評価のために出力される。
【００１１】
更に別の実施例では、本発明による装置は、要求クライアントの原子炉に対する亀裂挙動推定を判定するために、世界的なウェブベースのネットワークにおけるアプリケーションサーバを含む。アプリケーションサーバは、要求クライアントにより入力される原子炉パラメータを受信する手段と、受信されたパラメータに基づいて亀裂挙動推定を計算する手段と、要求クライアントによる評価のために計算された亀裂挙動推定を表示する手段とを含む。アプリケーションサーバは、暗号化１２８ビットＳＳＬ（Secure Socket Layer）接続などの適切な媒体を介してユーザからのセキュアな接続を扱い、全ての亀裂進展計算を扱い、適切なグラフィックユーザインタフェース（ＧＵＩ）を介してユーザに送信され、クライアントのインターネットブラウザが受信するプロットなどの適切なグラフィカル出力を提供するための処理回路を含む。
【００１２】
従って、この装置における方法により、ユーザは都合の良いときに原子炉に対する亀裂挙動スコーピング計算を実行することができる。場合によっては、ユーザは比較的短時間でその原子炉の現在の全ての亀裂を評価することができる。この方法及び装置からの結果を使用して、ユーザはどの亀裂が完全な分析を必要とするかを判定し、費用節減及び生産性の増加を実現するであろう。
【００１３】
図１は、本発明による亀裂挙動推定システムを示す。図１において、システム１０００は、例えば、アクセス可能なウェブサイトの中央ネクサスとして機能するアプリケーションサーバ２００を含む。アプリケーションサーバ２００は、核水質データベース２５０に有効に接続されても良い。以下で更に詳細に説明するが、アプリケーションサーバ２００は、核水質データベース２５０からの進展推定計算の実行に関連する全てのデータをアクセスする。複数の外部ユーザ３００が、暗号化１２８ビットＳＳＬ接続３７５などの適切な暗号化媒体を介してアプリケーションサーバ２００と通信を行なう。但し、本発明はこの暗号化通信媒体に限定されない。ユーザは、ウェブベースのインターネットブラウザなどの適切なインタフェースを使用してパーソナルコンピュータ、ラップトップ、携帯情報端末（ＰＤＡ）などからアプリケーションサーバに接続するのが好ましい。更に、アプリケーションサーバ２００は、適切な構内通信網（ＬＡＮ２７５）を介して内部ユーザ３５０にアクセス可能である。アプリケーションサーバ２００は、オンラインセキュリティ、亀裂進展計算、及び亀裂挙動のグラフィカル表現を提供する適切な画面の作成を担う。グラフィカル情報は、暗号化１２８ビットＳＳＬ接続３７５を介して送信され、ユーザ３００又は３５０の適切な表示装置上に表示される。以降、ユーザという用語は、システム１０００の内部ユーザ３５０及び外部ユーザ３００を指す。
【００１４】
図２は、図１のシステムに関連するアプリケーションサーバを示す。図２において、アプリケーションサーバ２００は、バス２０５を利用して種々の構成要素に接続し、ユーザから受信されるデータの経路を提供する。バス２０５は、多くのコンピュータアーキテクチャにおいて標準であるＰＣＩ（peripheral component interconnect）バスなどの従来のバスアーキテクチャを用いて実現されても良い。言うまでもなく、ＶＭＥＢＵＳ、ＮＵＢＵＳ、アドレスデータバス、ＲＡＭバス、ＤＤＲ（double data rate）バスなどの代替のバスアーキテクチャを利用してバス２０５を実現することもできる。外部ユーザ３００は、バス２０５により受け入れられる適切な接続上でネットワークインタフェース２２５を介して、アプリケーションサーバ２００に情報を送信する。内部ユーザは、構内通信網（ＬＡＮ２７５）内の適切な接続を介して送受信を行なうことでアプリケーションサーバ２００と通信する。
【００１５】
また、アプリケーションサーバ２００はホストプロセッサ２１０を含む。このホストプロセッサ２１０は、現在利用可能なＰｅｎｔｉｕｍ（登録商標）プロセッサなどの従来のマイクロプロセッサを用いて構成されても良い。ホストプロセッサ２１０は、アプリケーションサーバ２００におけるあらゆるリアルタイム機能及び非リアルタイム機能、すなわち、グラフィカルユーザインタフェース（ＧＵＩ）及びブラウザ機能、セキュリティ機能、亀裂進展計算、及び表示及びユーザによる評価のための適切な亀裂推定挙動データの作成などの機能が実行される中央ネクサスを表す。従って、ホストプロセッサ２１０はグラフィカルユーザインタフェース２３０を含む。このＧＵＩ２３０はソフトウェアにおいてブラウザとして実現されても良い。ブラウザは、システム１０００のユーザに対するインタフェースを提示し、ユーザと対話するソフトウェアである。ブラウザには、ユーザインタフェース構成要素（ハイパーテキスト、ウィンドウなど）及び画像をフォーマットし、表示する役割がある。通常、ユーザ表示インタフェースは、上述のようなＧＵＩ２３０である。
【００１６】
ブラウザは、通常、標準ＨＴＭＬ（hypertext markup language）により制御され、命令される。それに加えて、あるいは、その代わりに、より詳細なユーザ対話を必要とするＧＵＩ２３０の制御流れにおける決定が、Ｊａｖａ（登録商標）Ｓｃｒｉｐｔを使用して実現されても良い。これらの言語の双方は、特定のアプリケーションサーバ２００の実現の詳細に合わせてカスタマイズ又は変更されても良く、画像は既知のＪＰＧ、ＧＩＦ、ＴＩＦＦ、及びその他の標準圧縮方式を使用してブラウザに表示されても良い。圧縮方式におけるその他の非標準言語、すなわち、ＸＭＬ、「自家製」言語、又はその他の既知の非標準言語及び方式がＧＵＩ２３０に使用されても良い。
【００１７】
ホストプロセッサ２１０は、暗号化処理装置２４０も含む。暗号化処理装置２４０は、登録されたユーザのあらゆる個人情報を保護するように機能する。従って、アプリケーションサーバ２００は、システム１０００を外部からのセキュリティ突破から保護するためのファイアウォールを確立するように、暗号化処理装置２４０を使用して全てのセキュリティ機能を実現する。あるいは、図２の点線で示すように、ホストプロセッサ２１０は、外部暗号化サーバ２６０に有効に接続され、これと相互作用しても良い。暗号化サーバ２６０は、登録されたユーザのあらゆる個人情報を保護するのみならず、外部からのセキュリティ突破からシステム１０００を保護するために上述の全ての機能を実行する。
【００１８】
また、ホストプロセッサ２１０は、有効に接続されるメモリ２１５を備える。メモリ２１５は、ＲＡＭ又はＳＤＲＡＭとして実現されても良く、その他の既知の不揮発性メモリでもメモリ２１５として十分に機能を果たす。メモリ２１５は、亀裂推定計算を実行するためにホストプロセッサ２１０によるアクセスを目的としてユーザが入力するパラメータを格納する。
【００１９】
核水質データベース２２０が、バス２０５を介してホストプロセッサ２１０に有効に接続されても良い。核水質データベース２２０は、実際、大容量記憶装置の具体例である。言い変えると、データベース２２０は、磁気記憶装置及び／又は光学式記憶装置（例えば、ＲＡＭ、追記型ＣＤ、フラッシュカード、メモリスティックなど）などの従来技術で一般的に知られている他の大容量記憶装置と交換されても良い。あるいは、アプリケーションサーバ２００は、図２に点線で示すように、外部の核水質データベース２５０に有効に接続され、これと相互作用しても良い。例えば、アプリケーションサーバ２００は、適切なリンク２５５を介してデータベースサーバ２５０にアクセスしても良い。リンク２５５は、ユーザにより入力されたパラメータに従って、構成部品の亀裂挙動を推定するための亀裂挙動モデルにより使用される水質データを収集するために、アプリケーションサーバ２００をデータベースサーバ２５０へと接続する。
【００２０】
図３は、本発明による方法を示すフローチャートである。図３において、ユーザは、知られているように好ましくは適切な識別（ＩＤ）及びパスワードを入力することによって亀裂推定計算システム１０００にログインする（ステップＳ３０５）。ＩＤ及びパスワードに基づいて、システム１０００は、ユーザデータベースへのエントリを比較し、ユーザ及び原子炉プラントを判定することによって、ユーザがどの原子力発電所に所属するかを判定する（ステップＳ３１０）。このデータベースは、メモリ２１５の一部であるルックアップテーブル（ＬＵＴ）として実現されても良い。システム１０００は、ホストプロセッサ２１０及びＧＵＩ２３０を介して、どの亀裂推定プロフィールを選択・表示するかを尋ねる。ユーザは、知られているように適切なアイコン、ハイパーテキストリンク、及び／又はプルダウンメニューのセルを選択することによって、亀裂進展速度対時間の表示（ステップＳ３１６）又は亀裂進展対時間及び亀裂進展速度対時間の表示（ステップＳ３１７）から選択しても良い。
【００２１】
亀裂進展速度対時間（ステップＳ３１６）に関連する計算値及びデータを受信するために、ユーザは、所望のアイコン、ハイパーテキストリンク、及び／又はプルダウンメニューを選択し、亀裂進展速度を見るために時間フレームを入力する（ステップＳ３２０）。ユーザの原子炉プラント及び時間フレームに基づいて、システム１０００は、ユーザにより入力された時間フレームのみならず、複数の亀裂挙動推定モデル及び核水質データベース２５０中のデータを使用して毎日の亀裂進展速度を計算する（ステップＳ３２５）。また、システム１０００は、亀裂挙動推定モデルごとに計算された毎日の亀裂進展速度に基づいて、平均亀裂進展速度を計算する（ステップＳ３３０）。これらの計算から、システム１０００は、亀裂挙動モデルごとの亀裂進展速度対時間のプロットを出力する（ステップＳ３３５）。全ての特性曲線は、ユーザによる比較のために単一の図に描かれるのが好ましい。また、ステップＳ３３５において、システム１０００は、ユーザにより入力された時間フレームでの各モデルの平均亀裂進展速度を表示する。
【００２２】
ステップＳ３１５での質問に応じて、ユーザがステップＳ３１７において亀裂進展対時間及び亀裂進展速度対時間の表示を選択する場合、ユーザは、初期亀裂寸法、最大又は許容亀裂寸法（深さなど）、亀裂測定日、及び／又は分析の限界日を入力する（ステップＳ３４０）。これらの入力に基づいて、システム１０００は、全ての亀裂挙動モデル、アクセス可能な核水質データベース２２０中のデータ、及び亀裂測定日から毎日の亀裂進展速度を計算する（ステップＳ３４５）。システム１０００は、亀裂挙動モデルごとの毎日の亀裂進展速度に基づいて平均亀裂進展速度を計算する（ステップＳ３５０）。また、システム１０００は、計算された毎日の亀裂進展速度及び平均亀裂進展速度に基づいて経時の推定亀裂進展を計算する（ステップＳ３５５）。
【００２３】
従って、システム１０００は、モデルごとの亀裂進展速度対時間のプロットを出力する（ステップＳ３６０）。全ての特性曲線は同じ図に描かれるのが好ましい。また、システム１０００は、モデルごとの亀裂進展対時間のプロットを出力し、この場合の全ての特性曲線も同じ図に描かれるのが好ましい。プロットは、履歴データを利用してこれが終了する点までの亀裂進展を計算する。この点において、平均亀裂進展速度を利用して今後又は新規の亀裂進展を計算する。この計算は亀裂挙動モデルごとに実行される。また、現在の亀裂深さ及び最大亀裂深さを表す水平線がユーザによる評価のために描かれ、推定亀裂寸法（深さなど）が許容される最大亀裂寸法に到達するときを表す下向きの垂直線が描かれる。更に、描かれた時間フレームにおける平均亀裂速度がモデルごとに表示される。従って、ユーザは迅速且つ容易にこれらの亀裂挙動推定を評価し、より詳細な分析が必要か否かを判定しても良い。更に、ウェブサイトは１日２４時間利用可能であるので、ユーザは随時パラメータを入力してこれらのプロットをアクセスしても良い。
【００２４】
図４において、ユーザがウェブサイトにログインした後、入力画面４００が表示される。入力画面４００上にはプラント選択(Select Plant)セル４１０があり、これは選択可能な原子炉プラントのドロップダウンメニューとして実現されても良い。好ましくは、ユーザのＩＤ及びパスワードと関連する原子炉プラントが表示されるべきであるが、ユーザはプラント選択セル４１０のドロップダウンメニューから所望の原子炉プラントを選択しても良い。また、ユーザは、各プロットに対して所望の単位（ＵＳ又はメートル法）を選択しても良く、開始日(Start Date)セル４２０及び終了日(End Date)セル４３０に開始日及び終了日を入力すべきである。亀裂進展速度推定を開始するために、ユーザは適切な実行(Submit)ボタン４４０を選択する。ユーザは、入力画面４００上でデータを操作するのに、マウス、キーボード、音声アプリケーションソフトウェア、及び／又はポインティングデバイスを含む任意の適切な入力装置を使用しても良い。
【００２５】
図５において、ユーザにより入力されたデータに基づいて、亀裂挙動推定が計算され、ＧＵＩ２３０を介してユーザに対して表示される。具体的には、出力画面５００は、上述のプラント選択セル５１０、開始日セル５２０、及び終了日セル５３０を含む。更に、アプリケーションサーバ２００により実行及び／又はアクセスされる複数の亀裂挙動推定モデルから計算される平均亀裂進展速度を含む平均亀裂進展速度セル５４０もある。これらのモデルは、ＢＷＲＶＩＰモデル、ＧＥＰ−ｌｉｔｅモデル、ＨＷＣを有するＧＥＰ−ｌｉｔｅモデル、及び標準ＮＲＣ採択亀裂進展速度（単位はインチ／時）又は亀裂進展時間（時間内の亀裂進展）の表示を含む。図５に示すように、採択された亀裂進展速度は５ｅ-5インチ／時である。標準はメートル単位で表示されても良い。
【００２６】
一般的に、アプリケーションサーバ２００はユーザからの入力を受信し、データベース２５０の水質データをアクセスし、入力及び取得した水質データに基づいて各亀裂進展挙動モデルを実行する。結果は、適切なＧＵＩを介してユーザに対して表示するために計算された亀裂進展速度／亀裂進展データである。
【００２７】
例えば、アプリケーションサーバは、入力パラメータを使用してＢＷＲＶＩＰモデルを実行する。このモデルは、ＢＷＲＶＩＰ組織のメンバにより利用される著作権のあるレポートの一部として開発された。亀裂進展速度及び亀裂進展値を判定するために開発されたアルゴリズムは、「BWR Vessel and Internals Project, Evaluation of Crack Growth in BWR Stainless Steel RPV Internals（BWRVIP-14）」（EPRI Report TR105873，１９９６年３月）に記載されている。
【００２８】
ＧＥＰ−ｌｉｔｅモデルは、過去数年間にわたって収集されてきた履歴の水質データに基づいている。この水質データが分析され、複数の変数間の数学的な相関関係が開発された。この相関関係、すなわち、アルゴリズムは、特許文献１（内容は参照により本明細書に組み込まれる）に記載されるプロフィールに類似した推定亀裂進展挙動プロフィールを判定するために変数を使用している。
【００２９】
しかし、本発明に従って、亀裂進展速度及び亀裂進展に対する計算を実行するために、特許文献１に記載されたアルゴリズムが必要とする複数の変数は、定数であるものと想定されてきた。このため、ＧＥＰ−ｌｉｔｅモデルアルゴリズムは、より少ない個数の入力を要求し、アプリケーションサーバ２００により実行されるアルゴリズム又はアプリケーションにとって利用可能なデータのみを必要とする簡略化されたモデルである。ＧＥＰ−ｌｉｔｅモデルの結果のアルゴリズムは、導電性及び電気化学ポテンシャル（ＥＣＰ）の入力を使用して亀裂進展値を予測する。評価されるプラントが水素注入水質を有する場合、ＨＷＣを有するＧＥＰ−ｌｉｔｅモデルがアプリケーションサーバ２００により実行される。水素は、プラントのＥＣＰを劇的に低下させる効果がある。すなわち、ＨＷＣを有するＧＥＰ−ｌｉｔｅモデルに対するアルゴリズムはＥＣＰを定数として設定し、亀裂進展速度及び亀裂進展値を判定するために入力される導電性値を受信する。言い変えると、ＥＣＰを定数値として設定する点を除いて、ＧＥＰ−ｌｉｔｅモデルの簡略化されたアルゴリズムがＨＷＣを有するＧＥＰ−ｌｉｔｅモデルにおいても使用される。
【００３０】
図５に示すように、ＮＲＣ採択速度（ＮＲＣ　Baseline（ベースライン））に対する平均亀裂進展速度、ＢＷＲＶＩＰモデル、及びＧＥＰ−ｌｉｔｅモデルがセル５４２、５４４、及び５４６に表示される。また、亀裂進展速度対時間のプロットがセル５５０に表示される。セル５５０内の凡例を参照すると、複数の亀裂推定モデル（境界速度は、ＮＲＣベースライン値を表す）から得られた結果が示されている。セル５５０により、ユーザは入力パラメータに基づいて亀裂進展速度の傾向を判定することができる。言い変えると、２つ以上のモデルが亀裂進展速度の（実質的な）増加を示す場合、ユーザは、詳細な亀裂分析を開始する傾向にあるであろう。オプションとして、ユーザは、知られているようにセル５６０、印刷アイコン、又は出力画面５００を表示するウェブページ上のファイルドロップダウンメニューから印刷機能を選択することによって印刷可能なバージョンを見ても良い。
【００３１】
図６に示すように、入力画面６００の入力は、プラント選択セル６１０、初期亀裂寸法(Initial Crack Size)セル６２０、許容亀裂寸法(Allowable Crack Size)セル６３０、亀裂計測日(Date Crack was Measured)セル６４０、及び終了日セル６５０を含む。亀裂進展速度対時間及び亀裂進展対時間の計算を開始するために、ユーザは適切な実行ボタン６６０を選択する。
【００３２】
図７において、図６の各パラメータの入力が終了すると、ユーザはセル７００によりユーザ３００／３５０の原子炉プラントが水素注入水質の元で運転されているか否かを尋ねられるであろう。図７において、ユーザがＹＥＳを選択する場合、ＨＷＣを有するＧＥＰ−ｌｉｔｅモデルにより計算された結果が表示される。水素注入水質を利用するプラントは非ＨＷＣ原子力発電所よりも亀裂進展速度の変化が大きいことが多いので、このモデルは必要である。
【００３３】
図８において、出力画面８００は、上述のプラント種別セル８１０、初期亀裂寸法セル８２０、許容亀裂寸法セル８３０、亀裂計測日セル８４０、及び終了日セル８５０を含む。また、出力画面８００は計算された平均亀裂進展速度も含む。この平均亀裂進展速度は、複数の亀裂挙動モデルを利用してデータベース２２０の水質データをアクセスすることによって、アプリケーションサーバ２００により判定されたものである。具体的には、ＮＲＣベースラインモデルセル８６２、ＢＷＲＶＩＰモデルセル８６４、ＧＥＰ−ｌｉｔｅモデルセル８６６、及びＨＷＣを有するＧＥＰ−ｌｉｔｅモデルセル８６８に対して値が計算される。また、亀裂挙動推定モデルごとに亀裂進展速度対時間のプロットがセル８７０に表示される。これらのプロットはユーザによる比較のために使用されるのが好ましい。
【００３４】
図９において、亀裂進展速度対時間の表示に加えて、ユーザは亀裂進展対時間の表示を受信する。出力画面９００は上述のセル９１０から９５０を含む。これらのセルは、ユーザの入力を要約するものである。また、画面９００は、亀裂が最大値９６０に到達する推定日も含む。この推定日は亀裂挙動モデルごとに計算される。図９に示すように、ＮＲＣベースラインモデルセル９６２、ＢＷＲＶＩＰモデルセル９６４、ＧＥＰ−ｌｉｔｅモデルセル９６６、及びＨＷＣを有するＧＥＰ−ｌｉｔｅモデルセル９６８において表示されるように推定日が計算される。また、亀裂進展対時間のプロットは、ユーザによる比較のためにセル９７０において提供される。セル９７０のプロットは、各亀裂挙動モデル（及びセル９７０において「境界」として表されるＮＲＣベースライン）に対して所望の日付範囲にわたってインチ単位で亀裂の深さを示す。メートル単位をセル９７０のプロット上に表すことができることは理解されるであろう。また、水平線９７２は許容深さを示し、線９７４は開始深さを示し、垂直線９７６は推定亀裂寸法が最大亀裂寸法に到達する時点（図９のほぼ３／６／１９９３の時点）を示す。
【００３５】
以上、本発明を説明したが、本発明を多様に変形させても良いことは明らかであろう。例えば、図１及び図２の機能ブロックは、ハードウェア及び／又はソフトウェアで実現されても良い。ハードウェア／ソフトウェア実現は、プロセッサ、アプリケーションサービスプロバイダ、特定用途向け集積回路（ＡＳＩＣ）、及び／又は各製造部品の組み合わせを含んでも良い。製造部品は、更に、記録媒体及び実行可能なコンピュータプログラムを含んでも良い。実行可能なコンピュータプログラムは、上述の動作を実行するための命令を含んでも良い。また、コンピュータ実行可能なプログラムは、外部から供給される伝搬信号の一部として提供されても良い。なお、特許請求の範囲に記載された符号は、理解容易のためであってなんら発明の技術的範囲を実施例に限縮するものではない。
【図面の簡単な説明】
【００３６】
【図１】本発明による亀裂挙動推定システムを示す図。
【図２】図１のシステムに関連するアプリケーションサーバを示す図。
【図３】本発明による方法を示すフローチャート。
【図４】サンプルの入力画面の図。
【図５】本発明による推定亀裂進展速度及び平均亀裂進展速度を表示するのに使用されるグラフィカル表現を示すサンプル画面の図。
【図６】別の例示の実施例によるサンプル入力画面の図。
【図７】問合せ画面の図。
【図８】本発明による平均亀裂進展速度における推定亀裂進展速度のグラフィカル表現を示すサンプル画面の図。
【図９】本発明による推定亀裂進展速度、亀裂が最大になる推定日、及び亀裂進展のグラフィカル表現を示すサンプル画面の図。
【符号の説明】
【００３７】
２００…アプリケーションサーバ、２０５…バス、２１０…ホストプロセッサ、２２０、２５０…核水質データベース、２２５…ネットワークインタフェース、２３０…ＧＵＩ、２７５…ＬＡＮ、３００…外部ユーザ、３５０…内部ユーザ、３７５…暗号化１２８ビットＳＳＬ接続、１０００…システム
【図１】
2004037466.tif 000003
【図２】
2004037466.tif 000004
【図３】
2004037466.tif 000005
【図４】
2004037466.tif 000006
【図５】
2004037466.tif 000007
【図６】
2004037466.tif 000008
【図７】
2004037466.tif 000009
【図８】
2004037466.tif 000010
【図９】
2004037466.tif 000011